(57)【要約】【課題】ファンロータの回転軸に平行な幅方向の縮小と送風量の確保とが容易なシロッコファンを提供する。【解決手段】ファンロータ２５には、シロッコファン２０のスクロールケーシング２４の右側ファン吸込口２１及び左側ファン吸込口２２からそれぞれ空気を吸い込むための右側ロータ吸込口７１及び左側ロータ吸込口７２が形成されている。アウターロータ型モータ２６は、右側ロータ吸込口７１を含む第１平面ＰＬ１及び左側ロータ吸込口７２を含む第２平面ＰＬ２よりもファンロータ２５の内部空間Ｓ１の奥側に配置されている。アウターロータ型モータ２６は、スクロールケーシング２４に対して動かないように固定されているモータステータ４０及びファンロータ２５に固定されているマグネットロータ５０を有し、マグネットロータ５０がモータステータ４０の周りで回転する。【選択図】図４
2015140721.tif 000002
【特許請求の範囲】
【請求項１】
両側に第１吸込口及び第２吸込口が形成されているファンケーシング（２４）と、
前記第１吸込口及び前記第２吸込口からそれぞれ空気を吸い込むための第１ロータ吸込口及び第２ロータ吸込口が形成されているファンロータ（２５）と、
前記第１ロータ吸込口を含む第１平面（ＰＬ１）及び前記第２ロータ吸込口を含む第２平面（ＰＬ２）よりも前記ファンロータの内部空間の奥側に配置され、前記ファンケーシングに対して動かないように固定されているモータステータ（４０）及び前記ファンロータに固定されているマグネットロータ（５０）を有し、前記マグネットロータが前記モータステータの周りで回転するアウターロータ型モータ（２６）と
を備える、シロッコファン。
【請求項２】
前記アウターロータ型モータは、前記モータステータが前記第１ロータ吸込口から吸い込まれる空気を周方向外側に導く板状ステータ外面（４１）を有する、
請求項１に記載のシロッコファン。
【請求項３】
前記アウターロータ型モータは、前記マグネットロータが前記第２ロータ吸込口から吸い込まれる空気を周方向外側に導く板状ロータ外面（５１）を有する、
請求項１又は請求項２に記載のシロッコファン。
【請求項４】
前記ファンケーシングは、前記第１吸込口に形成されているベルマウス及び前記ベルマウスから前記アウターロータ型モータに向かって延びている３つの棒状の三点支持部材（３５ａ，３５ｂ，３５ｃ）を有し、
前記アウターロータ型モータは、前記モータステータが３つの前記三点支持部材に固定されている。
請求項１から３のいずれか一項に記載のシロッコファン。
【請求項５】
前記アウターロータ型モータは、前記ファンロータの前記第１ロータ吸込口及び前記第２ロータ吸込口のうちの少なくとも一方の中心を通る、前記ファンケーシングに対して動かないように固定されている棒状の中心支持部材（３４）によって前記モータステータが支持されている、
請求項１から４のいずれか一項に記載のシロッコファン。
【発明の詳細な説明】
【技術分野】
【０００１】
本発明は、シロッコファンに関する。
【背景技術】
【０００２】
従来から、加湿装置などの空気調和装置において、多くの送風量を確保するために左右両側から吸い込む両吸い込み型のシロッコファンがしばしば使用される。例えば、特許文献１（実開平６−４０７４５号公報）に記載されているシロッコファンは、両軸型モータが２つのファンロータの間に配置されて両吸い込み型となっている。しかし、このように２つのファンロータが両軸型モータの両側に配置されると、シロッコファンは、必然的に２つのファンロータの幅にさらに両軸型モータの幅を加えた幅よりも大きな幅を持つものとならざるを得ない。
【０００３】
そこで、幅を縮めて両吸い込み型を実現するために、従来から、特許文献２（特許第５１９４７３４号公報）に記載されているように、ファンロータの一方の吸込口に駆動モータが掛かる様な状態で配置し、駆動モータがファンロータと重なる部分だけ、シロッコファンの幅を狭めることが行なわれている。
【発明の開示】
【発明が解決しようとする課題】
【０００４】
しかしながら、特許文献２に記載されているシロッコファンでは、ファンロータに吸い込まれる気流に対して駆動モータが大きな抵抗を発生させることになり、送風量を確保するには不利な構成となっている。一方、特許文献１に記載されているシロッコファンでは、送風量の確保が容易になる反面、シロッコファンの全幅が拡大する傾向にある。
【０００５】
そこで、本発明の課題は、ファンロータの回転軸に平行な幅方向の縮小と送風量の確保とが容易なシロッコファンを提供することである。
【課題を解決するための手段】
【０００６】
本発明の第１観点に係るシロッコファンは、両側に第１吸込口及び第２吸込口が形成されているファンケーシングと、第１吸込口及び第２吸込口からそれぞれ空気を吸い込むための第１ロータ吸込口及び第２ロータ吸込口が形成されているファンロータと、第１ロータ吸込口を含む第１平面及び第２ロータ吸込口を含む第２平面よりもファンロータの内部空間の奥側に配置され、ファンケーシングに対して動かないように固定されているモータステータ及びファンロータに固定されているマグネットロータを有し、マグネットロータがモータステータの周りで回転するアウターロータ型モータとを備える。
【０００７】
第１観点のシロッコファンでは、ファンロータに固定されているマグネットロータを有するアウターロータ型モータが第１ロータ吸込口を含む第１平面及び第２ロータ吸込口を含む第２平面よりもファンロータの内部空間の奥側に配置されているので、第１ロータ吸込口及び第２ロータ吸込口から吸い込まれる気流に対してアウターロータ型モータによって吸い込み面積が小さくならない。それにより、シロッコファンの両側の吸い込み面積を大きく確保でき、シロッコファンの送風量の確保が容易になる。また、アウターロータ型モータをファンロータの外に配置しなくなったことにより、ファンロータの回転軸に平行な幅方向においてシロッコファンの全幅を短縮することができる。
【０００８】
本発明の第２観点に係るシロッコファンは、第１観点のシロッコファンであって、アウターロータ型モータは、モータステータが第１ロータ吸込口から吸い込まれる空気を周方向外側に導く板状ステータ外面を有する、ものである。
【０００９】
第２観点のシロッコファンでは、板状ステータ外面が第１ロータ吸込口から吸い込まれる空気を周方向外側に導くので、多くの空気が板状ステータ外面に当たって板状ステータ外面から多くの熱が奪われる。
【００１０】
本発明の第３観点に係るシロッコファンは、第１観点又は第２観点のシロッコファンであって、アウターロータ型モータは、マグネットロータが第２ロータ吸込口から吸い込まれる空気を周方向外側に導く板状ロータ外面を有する、ものである。
【００１１】
第３観点のシロッコファンでは、板状ロータ外面が第２ロータ吸込口から吸い込まれる空気を周方向外側に導くので、多くの空気が板状ロータ外面に当たって板状ロータ外面から多くの熱が奪われる。
【００１２】
本発明の第４観点に係るシロッコファンは、第１観点から第３観点のいずれかのシロッコファンであって、ファンケーシングは、第１吸込口に形成されているベルマウス及びベルマウスからアウターロータ型モータに向かって延びている３つの棒状の三点支持部材を有し、アウターロータ型モータは、モータステータが３つの三点支持部材に固定されている、ものである。
【００１３】
第４観点のシロッコファンでは、ベルマウスからアウターロータ型モータに向かって延びている３つの三点支持部材にモータステータを支持することで、アウターロータ型モータの軸心を適切な位置に固定することができる。また、３つの三点支持部材が棒状であることから、第１ロータ吸込口の吸い込み面積の減少を抑えることができ、かつ丈夫な三点支持を行うことができる。
【００１４】
本発明の第５観点に係るシロッコファンは、第１観点から第４観点のいずれかのシロッコファンであって、アウターロータ型モータは、ファンロータの第１ロータ吸込口及び第２ロータ吸込口のうちの少なくとも一方の中心を通る、ファンケーシングに対して動かないように固定されている棒状の中心支持部材によってモータステータが支持されている、ものである。
【００１５】
第５観点のシロッコファンでは、ファンロータの第１ロータ吸込口及び／又は第２ロータ吸込口の中心を通る棒状の中心支持部材でモータステータを支持することで、ファンロータの軸心を適切な位置に固定することができる。
【発明の効果】
【００１６】
本発明の第１観点に係るシロッコファンでは、ファンロータの回転軸に平行な幅方向の縮小と送風量の確保とが容易になる。
【００１７】
本発明の第２観点に係るシロッコファンでは、板状ステータ外面によってアウターロータ型モータの冷却効果が向上する。
【００１８】
本発明の第３観点に係るシロッコファンでは、板状ロータ外面によってアウターロータ型モータの冷却効果が向上する。
【００１９】
本発明の第４観点に係るシロッコファンでは、吸い込み面積を確保しながら丈夫で振動の発生の少ない支持が行い易くなる。
【００２０】
本発明の第５観点に係るシロッコファンでは、振動の発生を抑制することができる。
【図面の簡単な説明】
【００２１】
【図１】実施形態に係る加湿機能付き空気清浄機の外観斜視図。
【図２】図１の空気清浄機のＩ−Ｉ線断面図。
【図３】図１に示されているシロッコファンの部分破断斜視図。
【図４】図１のシロッコファンの断面図。
【図５】従来のシロッコファンの部分破断斜視図。
【図６】図１の空気清浄機の制御系統を説明するためのブロック図。
【発明を実施するための形態】
【００２２】
（１）空気清浄機の概要
以下、本発明の一実施形態に係るシロッコファンが用いられている空気清浄機を例に挙げて説明する。図１は、一実施形態に係る空気清浄機の斜視図であり、図２は、図１のＩ−Ｉ線断面である。この明細書においては、空気清浄機１０についての上下方向、前後方向及び左右方向が、図１及び図２において図中に矢印で示されている方向であるものとして説明する。空気清浄機１０は、本体ケーシング１１、プレフィルタ１２、シロッコファン２０、ＨＥＰＡ（High Efficiency Particulate Air）フィルタなどの集塵フィルタ１４、脱臭フィルタ１５及び加湿装置１３を備えている。
【００２３】
本体ケーシング１１は、形状が直方体状であり、前面１１Ｆ、後面１１Ｂ、右側面１１Ｒ、左側面１１Ｌ、底面１１Ｕ及び上面１１Ｔを持っている。本体ケーシング１１の右側面１１Ｒ、左側面１１Ｌ及び後面１１Ｂはプラスチック製であって一体的に成形されている。
【００２４】
本体ケーシング１１の内部は、下から順に、送風室Ｒ１，空気清浄室Ｒ２及び加湿室Ｒ３に分けられる。送風室Ｒ１には、プレフィルタ１２及びシロッコファン２０が収納されている。空気清浄室Ｒ２には、集塵フィルタ１４及び脱臭フィルタ１５が収納されている。また、加湿室Ｒ３には、加湿装置１３が収納されている。さらに、本体ケーシング１１の内部には、制御装置９０（図９参照）が収納されている。送風室Ｒ１のシロッコファン２０から吹出された空気は、空気清浄室Ｒ２の集塵フィルタ１４及び脱臭フィルタ１５を通過する。そして、集塵フィルタ１４及び脱臭フィルタ１５を通過した空気は、空気清浄室Ｒ２と加湿室Ｒ３との間の開口部１１ｇを通って加湿室Ｒ３に入る。本体ケーシング１１の前面１１Ｆには開閉扉１６が設けられており、開閉扉１６を開くと、送風室Ｒ１，空気清浄室Ｒ２及び加湿室Ｒ３の前面１１Ｆの側を開くことができる。
【００２５】
本体ケーシング１１には、空気清浄機１０が室内空気を吸い込むために、下方の右側面１１Ｒ及び左側面１１Ｌに右側吸込口１１ａ及び左側吸込口１１ｂがそれぞれ設けられている。また、空気清浄機１０が本体ケーシング１１の内部で清浄化し、さらには必要に応じて加湿した空気を吹出すために、本体ケーシング１１の上面の前方側に吹出口１１ｃが設けられている。そして、本体ケーシング１１の右側吸込口１１ａ及び左側吸込口１１ｂをそれぞれ覆うように、本体ケーシング１１の左右側面の内側には、例えば薄くて柔らかい樹脂製のネットで形成されるプレフィルタ１２が１枚ずつ取り付けられている。
【００２６】
本体ケーシング１１の底面１１Ｕには、両側吸い込み式のシロッコファン２０が設置されている。シロッコファン２０の２つの右側ファン吸込口２１及び左側ファン吸込口２２（図４参照）は、それぞれ１枚のプレフィルタ１２を挟んで本体ケーシング１１の右側吸込口１１ａ及び左側吸込口１１ｂに対面している。シロッコファン２０が駆動されると、右側吸込口１１ａ及び左側吸込口１１ｂの両方から本体ケーシング１１の内部に室内空気が吸い込まれ、その際にプレフィルタ１２によって比較的大きな塵埃が取り除かれる。プレフィルタ１２のよって塵埃が取り除かれた室内空気は、シロッコファン２０の右側ファン吸込口２１及び左側ファン吸込口２２から吸い込まれてシロッコファン２０の上方にあるファン吹出口２３から吹出される。
【００２７】
シロッコファン２０の上方には、集塵フィルタ１４が配置され、集塵フィルタ１４の上方にはさらに脱臭フィルタ１５が配置されている。このような構成によって、シロッコファン２０のファン吹出口２３から上方に向かって吹出される空気流は、集塵フィルタ１４及び脱臭フィルタ１５を順に通過する。集塵フィルタ１４及び脱臭フィルタ１５を通過する空気流からは、プレフィルタ１２を通過した比較的小さな塵埃が集塵フィルタ１４で取り除かれ、臭いの元になる化学物質が脱臭フィルタ１５で取り除かれる。
【００２８】
脱臭フィルタ１５の上方には、加湿装置１３が配置されている。脱臭フィルタ１５を通過した空気流は、加湿装置１３と通って本体ケーシング１１の吹出口１１ｃから室内に向けて吹出される。加湿装置１３は、加湿機能は発揮する状態と、加湿機能を停止する状態とを切り替えられるように構成されている。そのため、加湿装置１３が加湿機能を発揮している状態のときに吹出口１１ｃから吹出される空気は、加湿装置１３によって加湿されるので、清浄化と加湿の両方の処理を受けた調和空気である。一方、加湿装置１３が加湿機能を停止している状態のときに吹出口１１ｃから吹出される空気は、加湿装置１３からの加湿を受けないので、清浄化の処理のみを受けた調和空気である。図６に示されているように、加湿装置１３では、制御装置９０によってモータ１３１が制御されており、モータ１３１が制御することによって駆動ギア１３６の回転が制御されている。図２に示されているように、駆動ギア１３６によって水車１３５が回転して、加湿フィルタ１３４に水を供給する。制御装置９０が駆動ギア１３６の回転を止めると、加湿フィルタ１３４への水の供給が停止して加湿機能が停止する。一方、制御装置９０が駆動ギア１３６を回転させると、加湿フィルタ１３４への水の供給が継続されて加湿機能が発揮される。
【００２９】
また、制御装置９０は、シロッコファン２０のオンオフだけでなく、アウターロータ型モータ２６の回転数を制御することができる。この制御装置９０がアウターロータ型モータ２６の回転数を変更することによって、シロッコファン２０の送風量を変更することができる。
【００３０】
（２）シロッコファン２０の構成
図３は、図１及び図２に示されているシロッコファン２０の一部破断斜視図である。また、図４は、シロッコファン２０の回転軸を通って上下に延びる平面で切断したシロッコファン２０の断面図である。シロッコファン２０は、スクロールケーシング２４、ファンロータ２５及びアウターロータ型モータ２６を備えている。
【００３１】
スクロールケーシング２４は例えば金属や合成樹脂などを用いて形成されている。シロッコファン２０の右側ファン吸込口２１はスクロールケーシング２４の右側ベルマウス３１によって形成され、左側ファン吸込口２２はスクロールケーシング２４の左側ベルマウス３２によって形成されている。スクロールケーシング２４の右側ベルマウス３１の開口部３１ａと左側ベルマウス３２の開口部３２ａは、側面視において、同一軸線ＳＬ上に中心を持つ円形の形状を呈する。この軸線ＳＬは左右方向に延びている。
【００３２】
左側ベルマウス３２には、上下に延びる細長い板状の金属製の支持棒３３が嵌め込まれて固定されている。支持棒３３は、軸線ＳＬに対して垂直に配置され、水平に切断したときの断面が、左右方向に長い矩形状の形状である。図３に記載されて図４では記載が省略されている支持棒３３の中央の軸線ＳＬ上には、軸線ＳＬに沿って左右に延びる中心支持部材３４が形成されている。中心支持部材３４は、左側ベルマウス３２に近い側で比較的大きな直径を持ち、左側ベルマウス３２から遠い側で比較的小さな直径を持つ円柱状の金属棒で形成されている。中心支持部材３４の直径が大きい方が固定部３４ａであり、直径が小さい方が支持部３４ｂである。固定部３４ａが支持棒３３に固定され、支持部３４ｂがアウターロータ型モータ２６のモータステータ４０を支持する。モータステータ４０を支持するために、支持部３４ｂは、ファンロータ２５の左右方向の中央を超えて延びている。
【００３３】
モータステータ４０は、略中空円筒状の形状を持ち、モータステータ４０の中心軸が軸線ＳＬに一致するように配置されている。モータステータ４０の中心軸に一致するように中心支持部材３４の支持部３４ｂが固定されている。その結果、モータステータ４０は、スクロールケーシング２４に対して動かないように固定されている。モータステータ４０は、スクロールケーシング２４の右側ファン吸込口２１に対面する円板状ステータ外面４１を有している。
【００３４】
モータステータ４０の円板状ステータ外面４１は、３本の三点支持部材３５ａ，３５ｂ，３５ｃ（図２参照）の一方の端に固定されている。３本の三点支持部材３５ａ，３５ｂ，３５ｃの他方の端は、右側ベルマウス３１に固定されている。３本の三点支持部材３５ａ，３５ｂ，３５ｃのうちの隣接する２本は、軸線ＳＬの周りに１２０度の角度をもって配置されている。つまり、３本の三点支持部材３５ａ，３５ｂ，３５ｃは、軸線ＳＬの周りに回転対称に配置されている。これら３本の三点支持部材３５ａ，３５ｂ，３５ｃの長さが同じに揃えられかつ円板状ステータ外面４１が平面であるため、円板状ステータ外面４１を右側ベルマウス３１に平行にかつモータステータ４０の中心軸を軸線ＳＬに一致させて取り付けることが容易になる。モータステータ４０は、円板状ステータ外面４１に形成されたステータ本体部４２を有している。モータステータ４０には、モータステータ４０のステータ本体部４２の外周側を覆うロータ本体部５２を持つマグネットロータ５０が回転可能に取り付けられている。マグネットロータ５０の内側側部に永久磁石が取り付けられている。
【００３５】
マグネットロータ５０は、ロータ本体部５２の左端に円板状ロータ外面５１を有している。そして、マグネットロータ５０は、円板状ロータ外面５１の外周側に、ファンロータ２５に接続される外側側部５３を有している。このような構造になっていることから、マグネットロータ５０がモータステータ４０の周りで回転することで、ファンロータ２５がスクロールケーシング２４の中で回転する。このように、アウターロータ型モータ２６は、モータステータ４０とマグネットロータ５０とのよって構成されている。
【００３６】
アウターロータ型モータ２６によって回転駆動されるファンロータ２５は、右側ファンロータ部６１と左側ファンロータ部６２が接続された構造を有している。右側ファンロータ部６１と左側ファンロータ部６２は、それぞれ内側リング部材６１ａ，６２ａと外側リング部材６１ｂ，６２ｂと複数の羽根６１ｃ，６２ｃとからなる。これら右側ファンロータ部６１と左側ファンロータ部６２の複数の羽根６１ｃ，６２ｃの長さは互いに等しい。これらの複数の羽根６１ｃ，６２ｃがそれぞれ内側リング部材６１ａ，６２ａと外側リング部材６１ｂ，６２ｂの間に軸線ＳＬに平行になるように配置されているので、従って右側ファンロータ部６１と左側ファンロータ部６２の幅（左右方向の長さ）が等しいものとなっている。そして、右側ファンロータ部６１の内側リング部材６１ａと左側ファンロータ部６２の内側リング部材６２ａとを接合することでファンロータ２５が形成される。このような構造のファンロータ２５では、外側リング部材６１ｂ，６２ｂの間が内部空間Ｓ１であり、外側リング部材６１ｂ，６２ｂがそれぞれファンロータ２５の右側ロータ吸込口７１及び左側ロータ吸込口７２を構成する。これらファンロータ２５の右側ロータ吸込口７１及び左側ロータ吸込口７２から見ると、互いに接続されている内側リング部材６１ａ，６２ａが内部空間Ｓ１の奥まったところになる。具体的にはマグネットロータ５０の外側側部５３がファンロータ２５の内側リング部材６１ａ，６２ａに接続されるので、アウターロータ型モータ２６は、右側ロータ吸込口７１を含む第１平面ＰＬ１及び左側ロータ吸込口７２を含む第２平面ＰＬ２よりもファンロータ２５の内部空間Ｓ１の奥側に配置されているということになる。
【００３７】
（３）シロッコファン２０の動作
アウターロータ型モータ２６が駆動されると、モータステータ４０が中心支持部材３４及び三点支持部材３５ａ，３５ｂ，３５ｃによってスクロールケーシング２４に固定されているので、図２に記載されているように右側から見ると、マグネットロータ５０が時計回りに回転する。このマグネットロータ５０にファンロータ２５が固定されているので、ファンロータ２５も、右側から見て時計回りに回転する。ファンロータ２５が時計回りに回転することによって、図２に二点鎖線で示されているように、シロッコファン２０のファン吹出口２３から上方に向かう気流が発生する。回転するファンロータ２５は空気を遠心方向に吹き出して回転軸周りの圧力が低下し、空気はファンロータ２５の左右両側に位置するシロッコファン２０の右側ロータ吸込口７１及び左側ロータ吸込口７２に吸い込まれる。その結果、右側ファン吸込口２１及び左側ファン吸込口２２からシロッコファン２０のファン吹出口２３に向かう空気の流れＡ１が発生する（図４参照）。制御装置９０は、設定に応じてシロッコファン２０のファンロータ１３２の回転数を制御し、送風する空気の量を調節する。
【００３８】
ファン吹出口２３から吹出される気流は、図４に示されているように、ファンロータ２５の右側ロータ吸込口７１（右側ファン吸込口２１）及び左側ロータ吸込口７２（左側ファン吸込口２２）から同時に吸い込まれる。これら右側ロータ吸込口７１及び左側ロータ吸込口７２から吸い込まれた空気は、それぞれ円板状ステータ外面４１及び円板状ロータ外面５１に沿って周方向外側に導かれる。
【００３９】
アウターロータ型モータ２６が駆動されるときには、アウターロータ型モータ２６が発熱するが、アウターロータ型モータ２６で発生した熱の多くは、円板状ステータ外面４１及び円板状ロータ外面５１によって吸い込まれる空気に逃がされる。このように、円板状ステータ外面４１及び円板状ロータ外面５１によってアウターロータ型モータ２６の空冷が行なわれるので、アウターロータ型モータ２６の温度上昇が抑制される。
【００４０】
（４）特徴
（４−１）
以上説明したように、シロッコファン２０のスクロールケーシング２４（ファンケーシングの例）には、左右の両側に右側ファン吸込口２１及び左側ファン吸込口２２（第１吸込口及び第２吸込口の例）が形成されている。ファンロータ２５には、右側ファン吸込口２１及び左側ファン吸込口２２からそれぞれ空気を吸い込むための右側ロータ吸込口７１及び左側ロータ吸込口７２（第１ロータ吸込口及び第２ロータ吸込口の例）が形成されている。アウターロータ型モータ２６は、ファンロータ２５の中央付近に配置されている。つまり、アウターロータ型モータ２６は、右側ロータ吸込口７１を含む第１平面（ＰＬ１）及び左側ロータ吸込口７２を含む第２平面ＰＬ２よりもファンロータ２５の内部空間Ｓ１の奥側に配置されている。アウターロータ型モータ２６は、スクロールケーシング２４に対して動かないように固定されているモータステータ４０及びファンロータ２５に固定されているマグネットロータ５０を有している。ファンロータ２５に固定されているマグネットロータ５０が、スクロールケーシング２４に固定されているモータステータ４０の周りで回転することにより、スクロールケーシング２４の中でファンロータ２５が回転する。
【００４１】
アウターロータ型モータ２６がファンロータ２５の内部空間Ｓ１にあって右側ロータ吸込口７１を含む第１平面ＰＬ１及び左側ロータ吸込口７２を含む第２平面ＰＬ２よりも奥側に配置されているので、右側ロータ吸込口７１及び左側ロータ吸込口７２から吸い込まれる気流に対してアウターロータ型モータ２６によって吸い込み面積が小さくならない。アウターロータ型モータ２６によって吸い込み面積が小さくならないことにより、シロッコファン２０の両側の吸い込み面積を大きく確保でき、シロッコファン２０の送風量の確保が容易になる。また、アウターロータ型モータ２６をファンロータ２５の外に配置しなくなったことにより、ファンロータ２５の回転軸に平行な幅方向においてシロッコファン２０の全幅を短縮することができる。
【００４２】
図５には従来のシロッコファン１２０が示されている。従来のシロッコファン１２０と上記実施形態のシロッコファン２０とを比較すると、ファン吹出口１２３に比べてファン吹出口２３が大きくできることがわかる。それは、従来のインナーロータ型モータ１２６の場合には、インナーロータ型モータ１２６をファンロータ１２５の外側に配置しなければならないため、上記実施形態のファンロータ２５に比べてファンロータ１２５の左右の幅が狭くなるから送風量の確保が難しいからである。さらに、ファンロータ１２５の吸込口の近くにインナーロータ型モータ１２６があるために、ファンロータ１２５の吸い込み抵抗が、上記実施形態のシロッコファン２０のファンロータ２５に比べて大きくなっていることも送風量の確保が難しい要因となっている。もし、上記実施形態のシロッコファン２０と同じ送風量を従来のシロッコファン１２０で確保しようとするとシロッコファン１２０の左右の幅がインナーロータ型モータ１２６の設置スペースのために長くなるので、ひいては空気清浄機の本体ケーシングも上記実施形態の空気清浄機１０の本体ケーシングに比べて大きくならざるを得なくなる。
【００４３】
（４−２）
アウターロータ型モータ２６は、モータステータ４０が右側ロータ吸込口７１（第１ロータ吸込口の例）から吸い込まれる空気を周方向外側に導く円板状ステータ外面４１を有している。円板状ステータ外面４１が右側ロータ吸込口７１から吸い込まれる空気を周方向外側に導くときに多くの空気が円板状ステータ外面４１に当たって円板状ステータ外面４１から多くの熱が奪われる。つまり、円板状ステータ外面４１によってアウターロータ型モータ２６の冷却効果が向上する。
【００４４】
（４−３）
アウターロータ型モータ２６は、マグネットロータ５０が左側ロータ吸込口７２（第２ロータ吸込口の例）から吸い込まれる空気を周方向外側に導く円板状ロータ外面５１を有している。円板状ロータ外面５１が左側ロータ吸込口７２から吸い込まれる空気を周方向外側に導くときに多くの空気が円板状ロータ外面５１に当たって円板状ロータ外面５１から多くの熱が奪われる。つまり、円板状ロータ外面５１によってアウターロータ型モータ２６の冷却効果が向上する。
【００４５】
（４−４）
スクロールケーシング２４は、右側ファン吸込口２１に形成されている右側ベルマウス３１からアウターロータ型モータ２６に向かって延びている３つの棒状の三点支持部材３５ａ，３５ｂ，３５ｃでモータステータ４０が固定されている。このような構造により、アウターロータ型モータ２６の軸心を適切な位置に固定することができ、また、３つの三点支持部材が棒状であることから第１ロータ吸込口の吸い込み面積の減少を抑えることができ、かつ丈夫な三点支持を行うことができる。その結果、吸い込み面積を確保しながら丈夫で振動の発生の少ないアウターロータ型モータ２６の支持が行い易くなる。
【００４６】
（４−５）
アウターロータ型モータ２６は、ファンロータ２５の右側ロータ吸込口７１及び左側ロータ吸込口７２の中心を通る棒状の中心支持部材３４によってモータステータ４０が支持されている。アウターロータ型モータ２６は、中心支持部材３４及び支持棒３３によってスクロールケーシング２４に対して動かないように固定されている。ファンロータ２５の右側ロータ吸込口７１及び左側ロータ吸込口７２の中心を通る棒状の中心支持部材３４でモータステータ４０を支持することで、ファンロータ２５の軸心を適切な位置に固定することができ、振動の発生を抑制することができる。
【００４７】
（５）変形例
（Ａ）
上記実施形態では、ファンロータ２５が同じ幅の右側ファンロータ部６１と左側ファンロータ部６２を接続させたものであったが、これらの幅は異なっていてもよく、アウターロータ型モータ２６を中央よりも多少左右のいずれかに近づけて配置してもよい。また、ファンロータは、左右に分かれずに一つの部材として形成されていてもよい。つまり、一枚の羽根がファンロータ２５の右端から左端まで続くものであってもよい。
【００４８】
（Ｂ）
上記実施形態では、中心支持部材３４及び三点支持部材３５ａ，３５ｂ，３５ｃをスクロールケーシング２４に固定する場合について説明したが、スクロールケーシング２４を基台に固定して、中心支持部材３４及び／又は三点支持部材３５ａ，３５ｂ，３５ｃを基台に固定するようにしてもよい。つまり、中心支持部材３４及び三点支持部材３５ａ，３５ｂ，３５ｃは、スクロールケーシング２４に対して相対的に固定されていればよい。
【００４９】
また、図４で記載が省略されている中心支持部材３４は必須部材ではなく、中心支持部材３４を取り付けないことも可能で、モータステータ４０がスクロールケーシング２４に対して相対的に固定されていればよい。マグネットロータ５０の軸方向の位置は電磁的にモータステータ４０との距離が保たれることで維持されるので、中心支持部材３４を省くことも可能である。
【符号の説明】
【００５０】
２０    シロッコファン
２４    スクロールケーシング（ファンケーシング）
２５    ファンロータ
２６    アウターロータ型モータ
３１    右側ベルマウス
３２    左側ベルマウス
３４    中心支持部材
３５ａ，３５ｂ，３５ｃ    三点支持部材
４０    モータステータ
４１    円板状ステータ外面（板状ステータ外面）
５０    マグネットロータ
５１    円板状ロータ外面（板状ロータ外面）
ＰＬ１    第１平面
ＰＬ２    第２平面
【先行技術文献】
【特許文献】
【００５１】
【特許文献１】実開平６−４０７４５号公報
【特許文献２】特許第５１９４７３４号公報
【図１】
2015140721.tif 000003
【図２】
2015140721.tif 000004
【図３】
2015140721.tif 000005
【図４】
2015140721.tif 000006
【図５】
2015140721.tif 000007
【図６】
2015140721.tif 000008